(57)【要約】      （修正有）【課題】有料情報を受信する受信機の所有者以外の者が手軽に決済を行って有料情報を視聴することが可能な有料情報放送システムを提供する。【解決手段】有料情報を受信する受信装置と、端末装置と、放送装置及び端末装置と通信可能であって決済処理を行う決済装置と、を備える有料情報放送システムにおいて、前記端末装置が、前記受信装置から当該受信装置を識別するための受信装置識別情報を取得し、前記取得した受信装置識別情報と自己の利用者識別情報を含む決済要求情報を、通信手段を介して前記決済装置に送信し、決済要求情報に含まれる利用者識別情報に基づいて有料情報を視聴するための決済処理を行い処理の完了後、決済要求情報に含まれる受信装置識別情報を含む決済完了情報を、通信手段を介して放送装置に送信し放送装置が、決済完了情報に含まれる受信装置識別情報により特定される受信装置に対して有料情報を放送する。【選択図】図１
2007104168.tif 000002
【特許請求の範囲】
【請求項１】
スクランブルされた有料情報を放送する放送装置と、前記放送された有料情報を受信する受信装置と、端末装置と、前記放送装置及び前記端末装置と通信可能であって前記有料情報を視聴するための決済処理を行う決済装置と、を備える有料情報放送システムであって、
前記端末装置は、
前記受信装置から当該受信装置を識別するための受信装置識別情報を取得する受信装置識別情報取得手段と、
当該端末装置の利用者を識別するための利用者識別情報を記憶する利用者識別情報記憶手段と、
前記取得した受信装置識別情報と前記記憶された利用者識別情報を含む決済要求情報を、通信手段を介して前記決済装置に送信する決済要求情報送信手段と、を備え、
前記決済装置は、
前記端末装置から送信されてきた決済要求情報を受信する決済要求情報受信手段と、
前記決済要求情報に含まれる利用者識別情報に基づいて当該利用者が前記有料情報を視聴するための決済処理を行う決済処理手段と、
前記決済処理の完了後、前記決済要求情報に含まれる受信装置識別情報を含む決済完了情報を、通信手段を介して前記放送装置に送信する決済完了情報送信手段と、を備え、
前記放送装置は、
前記決済装置から送信されてきた前記決済完了情報を受信する決済完了情報受信手段と、
前記有料情報と共に、前記決済完了情報に含まれる受信装置識別情報を放送する放送手段と、を備え、
前記受信装置は、
前記放送装置から放送された有料情報及び前記受信装置識別情報を受信する有料情報受信手段と、
前記有料情報と共に自己の前記受信装置識別情報を受信した場合には、当該有料情報をデスクランブルするデスクランブル手段と、
を備えることを特徴とする有料情報放送システム。
【請求項２】
請求項１に記載の有料情報放送システムにおいて、
前記受信装置識別情報取得手段は、前記受信装置から前記受信装置識別情報と共に、前記有料情報の一単位を識別するための有料情報識別情報を取得し、
前記決済要求情報送信手段は、前記受信装置識別情報、前記利用者識別情報、及び前記有料情報識別情報を、通信手段を介して前記決済装置に送信し、
前記決済完了情報送信手段は、前記決済処理の完了後、前記受信装置識別情報及び前記有料情報識別情報を含む決済完了情報を、通信手段を介して前記放送装置に送信し、
前記放送手段は、前記有料情報識別情報により特定される前記有料情報の一単位と共に前記受信装置識別情報を放送することを特徴とする有料情報放送システム。
【請求項３】
請求項１に記載の有料情報放送システムにおいて、
前記受信装置識別情報取得手段は、前記受信装置から前記受信装置識別情報と共に、前記有料情報を放送する放送チャンネルを示す放送チャンネル情報を取得し、
前記決済要求情報送信手段は、前記受信装置識別情報、前記利用者識別情報、及び前記放送チャンネル情報を、通信手段を介して前記決済装置に送信し、
前記決済完了情報送信手段は、前記決済処理の完了後、前記受信装置識別情報及び前記放送チャンネル情報を含む決済完了情報を、通信手段を介して前記放送装置に送信し、
前記放送手段は、前記放送チャンネル情報に示される放送チャンネルで前記有料情報と共に前記受信装置識別情報を放送することを特徴とする有料情報放送システム。
【請求項４】
請求項１又は３に記載の有料情報放送システムにおいて、
前記決済処理手段は、前記利用者識別情報により特定される利用者により指定された時間範囲で前記決済処理を行い、
前記決済完了情報送信手段は、前記決済処理の完了後、前記受信装置識別情報及び前記時間範囲を示す時間範囲情報を含む決済完了情報を、通信手段を介して前記放送装置に送信し、
前記放送手段は、前記有料情報と共に前記受信装置識別情報及び前記時間範囲情報を放送し、
前記デスクランブル手段は、前記有料情報と共に自己の前記受信装置識別情報を受信した場合には、前記時間範囲情報で示される時間範囲のみ前記有料情報をデスクランブルすることを特徴とする有料情報放送システム。
【請求項５】
有料情報を放送する放送装置と、前記放送された有料情報を受信する受信装置と、端末装置と、前記放送装置及び前記端末装置と通信可能であって前記有料情報を視聴するための決済処理を行う決済装置と、を備える有料情報放送システムであって、
前記端末装置は、
前記受信装置から当該受信装置を識別するための受信装置識別情報を取得する受信装置識別情報取得手段と、
当該端末装置の利用者を識別するための利用者識別情報を記憶する利用者識別情報記憶手段と、
前記取得した受信装置識別情報と前記記憶された利用者識別情報を含む決済要求情報を、通信手段を介して前記決済装置に送信する決済要求情報送信手段と、を備え、
前記決済装置は、
前記端末装置から送信されてきた決済要求情報を受信する決済要求情報受信手段と、
前記決済要求情報に含まれる利用者識別情報に基づいて当該利用者が前記有料情報を視聴するための決済処理を行う決済処理手段と、
前記決済処理の完了後、前記決済要求情報に含まれる受信装置識別情報を含む決済完了情報を、通信手段を介して前記放送装置に送信する決済完了情報送信手段と、を備え、
前記放送装置は、
前記決済装置から送信されてきた前記決済完了情報を受信する決済完了情報受信手段と、
前記決済完了情報に含まれる受信装置識別情報により特定される受信装置に対して前記有料情報を放送する放送手段と、
を備えることを特徴とする有料情報放送システム。
【請求項６】
請求項５に記載の有料情報放送システムにおいて、
前記受信装置識別情報取得手段は、前記受信装置から前記受信装置識別情報と共に、前記有料情報の一単位を識別するための有料情報識別情報を取得し、
前記決済要求情報送信手段は、前記受信装置識別情報、前記利用者識別情報、及び前記有料情報識別情報を、通信手段を介して前記決済装置に送信し、
前記決済完了情報送信手段は、前記決済処理の完了後、前記受信装置識別情報及び前記有料情報識別情報を含む決済完了情報を、通信手段を介して前記放送装置に送信し、
前記放送手段は、前記有料情報識別情報により特定される前記有料情報の一単位を、前記受信装置識別情報により特定される受信装置に対して前記有料情報を放送することを特徴とする有料情報放送システム。
【請求項７】
請求項５に記載の有料情報放送システムにおいて、
前記受信装置識別情報取得手段は、前記受信装置から前記受信装置識別情報と共に、前記有料情報を放送する放送チャンネルを示す放送チャンネル情報を取得し、
前記決済要求情報送信手段は、前記受信装置識別情報、前記利用者識別情報、及び前記放送チャンネル情報を、通信手段を介して前記決済装置に送信し、
前記決済完了情報送信手段は、前記決済処理の完了後、前記受信装置識別情報及び前記放送チャンネル情報を含む決済完了情報を、通信手段を介して前記放送装置に送信し、
前記放送手段は、前記放送チャンネル情報に示される放送チャンネルで、前記受信装置識別情報により特定される受信装置に対して前記有料情報を放送することを特徴とする有料情報放送システム。
【請求項８】
請求項５に記載の有料情報放送システムにおいて、
前記決済処理手段は、前記利用者識別情報により特定される利用者により指定された時間範囲で前記決済処理を行い、
前記決済完了情報送信手段は、前記決済処理の完了後、前記受信装置識別情報及び前記時間範囲を示す時間範囲情報を含む決済完了情報を、通信手段を介して前記放送装置に送信し、
前記放送手段は、前記受信装置識別情報により特定される受信装置に対して前記有料情報を前記時間範囲情報で示される時間範囲のみ放送することを特徴とする有料情報放送システム。
【請求項９】
請求項１乃至８の何れか一項に記載の有料情報放送システムにおいて、
前記受信装置は、自己の受信装置識別情報を含むコードを表示させるコード表示手段を更に備え、
前記装置識別情報取得手段は、前記表示されたコードを撮影し、当該撮影されたコードから前記受信装置識別情報を取得することを特徴とする有料情報放送システム。
【請求項１０】
請求項１乃至８の何れか一項に記載の有料情報放送システムにおいて、
前記受信装置及び前記端末装置は、相互に近距離無線通信を行う機能を有し、
前記装置識別情報取得手段は、前記近距離無線通信によって前記受信装置から前記受信装置識別情報を取得することを特徴とする有料情報放送システム。
【請求項１１】
請求項１乃至８の何れか一項に記載の有料情報放送システムに含まれる端末装置であって、
前記受信装置識別情報取得手段、前記利用者識別情報記憶手段、及び前記決済要求情報送信手段を備えることを特徴とする決済装置。
【請求項１２】
コンピュータを、請求項１１に記載の端末装置に備える前記受信装置識別情報取得手段、前記利用者識別情報記憶手段、及び前記決済要求情報送信手段として機能させることを特徴とする端末装置用プログラム。
【請求項１３】
請求項１乃至８の何れか一項に記載の有料情報放送システムに含まれる決済装置であって、前記決済要求情報受信手段、前記決済処理手段、及び前記決済完了情報送信手段を備えることを特徴とする決済装置。
【請求項１４】
コンピュータを、請求項１３に記載の決済装置に備える前記決済要求情報受信手段、前記決済処理手段、及び前記決済完了情報送信手段として機能させることを特徴とする決済装置用プログラム。
【請求項１５】
スクランブルされた有料情報を放送する放送装置と、前記放送された有料情報を受信する受信装置と、端末装置と、前記放送装置及び前記端末装置と通信可能であって前記有料情報を視聴するための決済処理を行う決済装置と、を備える有料情報放送システムにおける有料放送方法であって、
前記端末装置が、前記受信装置から当該受信装置を識別するための受信装置識別情報を取得し、当該取得した受信装置識別情報と自己の利用者識別情報を含む決済要求情報を、通信手段を介して前記決済装置に送信し、
前記決済装置が、前記端末装置から送信されてきた決済要求情報を受信し、当該決済要求情報に含まれる利用者識別情報に基づいて当該利用者が前記有料情報を視聴するための決済処理を行い、当該決済処理の完了後、前記決済要求情報に含まれる受信装置識別情報を含む決済完了情報を、通信手段を介して前記放送装置に送信し、
前記放送装置が、前記決済装置から送信されてきた前記決済完了情報を受信し、前記有料情報と共に、前記決済完了情報に含まれる受信装置識別情報を放送し、
前記受信装置が、前記放送装置から放送された有料情報及び前記受信装置識別情報を受信し、前記有料情報と共に自己の前記受信装置識別情報を受信した場合には、当該有料情報をデスクランブルすることを特徴とする有料情報放送方法。
【請求項１６】
有料情報を放送する放送装置と、前記放送された有料情報を受信する受信装置と、端末装置と、前記放送装置及び前記端末装置と通信可能であって前記有料情報を視聴するための決済処理を行う決済装置と、を備える有料情報放送システムにおける有料情報放送方法であって、
前記端末装置が、前記受信装置から当該受信装置を識別するための受信装置識別情報を取得し、前記取得した受信装置識別情報と自己の利用者識別情報を含む決済要求情報を、通信手段を介して前記決済装置に送信し、
前記決済装置が、前記端末装置から送信されてきた決済要求情報を受信し、当該決済要求情報に含まれる利用者識別情報に基づいて当該利用者が前記有料情報を視聴するための決済処理を行い、前記決済処理の完了後、前記決済要求情報に含まれる受信装置識別情報を含む決済完了情報を、通信手段を介して前記放送装置に送信し、
前記放送装置が、前記決済装置から送信されてきた前記決済完了情報を受信し、当該決済完了情報に含まれる受信装置識別情報により特定される受信装置に対して前記有料情報を放送することを特徴とする有料情報放送方法。
【発明の詳細な説明】
【技術分野】
【０００１】
本発明は、有料情報放送システムに関し、特に、有料情報を視聴するための決済処理を行う技術分野に関する。
【背景技術】
【０００２】
近年、ＣＳ（Communications Satellite）放送、ＣＳ１１０°放送、ＢＳ（Broadcast Satellite）放送、ＣＡＴＶ（Cable Television）放送、地上波デジタル放送、又はインターネット放送等を通じて、音楽、映画、番組等の様々な有料情報（有料デジタルコンテンツ）が放送されるようになっている。
【０００３】
このような有料情報は、例えば放送局側でスクランブルされて受信機に対して放送されるようになっており、当該スクランブルを解除（以下、「デスクランブル」という）して利用者が視聴するためには、当該有料情報を視聴するための決済が行われることが必要となっている（決済の完了が前提）。或いは、当該決済の完了後に、当該決済の対象となった受信機に対して、スクランブルされていない有料情報が放送（配信）されるようになっている。
【０００４】
上記決済の方法としては、例えば、利用者は、電話回線（有線）や専用回線を利用して、視聴したい番組等の有料情報の単位毎に放送事業者との間で契約を行ない、課金してもらう、いわゆるペイパービュー方式による決済方法が知られている。この場合、利用者は、受信機で、有料情報をデスクランブするためのスクランブル鍵を取得、或いはスクランブル鍵の使用許可を受けて、当該有料情報をデスクランブルすることで、契約対象の有料放送を視聴することができる。
【０００５】
また、例えば、利用者が放送事業者との契約を行なうことで月毎にその有料情報の視聴料金を支払い、その有料情報に関しては無制限に視聴できるという決済方法も知られている。
【０００６】
更に、特許文献１乃至５にも、様々な決済方法に関する技術が開示されている。例えば、特許文献１では、受信局側に、サーバと、有料情報を利用するための複数の端末とを備え、利用者側での実際の利用度合いに応じた利用料金を求めることができる有料情報提供システムが開示されており、また、特許文献２には、プリペイドカードを用いた決済方法も開示されている。
【特許文献１】特開平１０−１５０６５３号公報
【特許文献２】特開２０００−３０６００３号公報
【特許文献３】特開２００２−８４５２０号公報
【特許文献４】特開２００１−１０２４５０号公報
【特許文献５】特開２００３−３２６５９号公報
【発明の開示】
【発明が解決しようとする課題】
【０００７】
しかしながら、上記ペイパービュー方式や、月毎に視聴料金を支払うような従来の決済方法等では、一般に、有料情報を受信する受信機の所有者（有料放送サービス契約者）が決済を実施する者であるため、当該所有者（或いはその家族）しか有料情報を視聴できず、融通がきかないという問題があった。例えば、受信機の所有者とは異なる者が自ら利用料金を手軽に支払って有料情報を視聴したいというような場合（例えば、友人の自宅に設置された当該友人が所有する受信機にて友人に代わって自ら有料情報の視聴料金を手軽に支払いたい場合や、不特定多数の者が集まるネットカフェやカラオケ等に設置された受信機にて、自ら有料情報の視聴料金を手軽に支払いたい場合等）、従来の決済方法では対応が困難であった。
【０００８】
また、受信機において決済処理を実施するために必要なインフラ（電話回線等）や受信機に回線等と接続するためのモジュラージャック等が必要であり、また、通信の際には電話回線使用料が必要であり、更には、煩雑な契約手続きが必要であるというような問題もあった。
【０００９】
以上、有料情報の決済方法についての問題の一例を挙げたが、このような問題は、有料情報のサービス拡大の弊害となるものと考えられる。
【００１０】
本発明は、このような点に鑑みてなされたものであり、有料情報を受信する受信機の所有者以外の者であっても、手軽に決済を行って有料情報を視聴することが可能な有料情報放送システム、有料情報放送方法、端末装置、決済装置、端末装置用プログラム、及び決済装置用プログラムを提供することを課題とする。
【課題を解決するための手段】
【００１１】
上記課題を解決するために、請求項１に記載の発明は、スクランブルされた有料情報を放送する放送装置と、前記放送された有料情報を受信する受信装置と、端末装置と、前記放送装置及び前記端末装置と通信可能であって前記有料情報を視聴するための決済処理を行う決済装置と、を備える有料情報放送システムであって、前記端末装置は、前記受信装置から当該受信装置を識別するための受信装置識別情報を取得する受信装置識別情報取得手段と、当該端末装置の利用者を識別するための利用者識別情報を記憶する利用者識別情報記憶手段と、前記取得した受信装置識別情報と前記記憶された利用者識別情報を含む決済要求情報を、通信手段を介して前記決済装置に送信する決済要求情報送信手段と、を備え、前記決済装置は、前記端末装置から送信されてきた決済要求情報を受信する決済要求情報受信手段と、前記決済要求情報に含まれる利用者識別情報に基づいて当該利用者が前記有料情報を視聴するための決済処理を行う決済処理手段と、前記決済処理の完了後、前記決済要求情報に含まれる受信装置識別情報を含む決済完了情報を、通信手段を介して前記放送装置に送信する決済完了情報送信手段と、を備え、前記放送装置は、前記決済装置から送信されてきた前記決済完了情報を受信する決済完了情報受信手段と、前記有料情報と共に、前記決済完了情報に含まれる受信装置識別情報を放送する放送手段と、を備え、前記受信装置は、前記放送装置から放送された有料情報及び前記受信装置識別情報を受信する有料情報受信手段と、前記有料情報と共に自己の前記受信装置識別情報を受信した場合には、当該有料情報をデスクランブルするデスクランブル手段と、を備えることを特徴とする。
【００１２】
また、請求項２に記載の発明は、請求項１に記載の有料情報放送システムにおいて、前記受信装置識別情報取得手段は、前記受信装置から前記受信装置識別情報と共に、前記有料情報の一単位を識別するための有料情報識別情報を取得し、前記決済要求情報送信手段は、前記受信装置識別情報、前記利用者識別情報、及び前記有料情報識別情報を、通信手段を介して前記決済装置に送信し、前記決済完了情報送信手段は、前記決済処理の完了後、前記受信装置識別情報及び前記有料情報識別情報を含む決済完了情報を、通信手段を介して前記放送装置に送信し、前記放送手段は、前記有料情報識別情報により特定される前記有料情報の一単位と共に前記受信装置識別情報を放送することを特徴とする。
【００１３】
また、請求項３に記載の発明は、請求項１に記載の有料情報放送システムにおいて、前記受信装置識別情報取得手段は、前記受信装置から前記受信装置識別情報と共に、前記有料情報を放送する放送チャンネルを示す放送チャンネル情報を取得し、前記決済要求情報送信手段は、前記受信装置識別情報、前記利用者識別情報、及び前記放送チャンネル情報を、通信手段を介して前記決済装置に送信し、前記決済完了情報送信手段は、前記決済処理の完了後、前記受信装置識別情報及び前記放送チャンネル情報を含む決済完了情報を、通信手段を介して前記放送装置に送信し、前記放送手段は、前記放送チャンネル情報に示される放送チャンネルで前記有料情報と共に前記受信装置識別情報を放送することを特徴とする。
【００１４】
また、請求項４に記載の発明は、請求項１又は３に記載の有料情報放送システムにおいて、前記決済処理手段は、前記利用者識別情報により特定される利用者により指定された時間範囲で前記決済処理を行い、前記決済完了情報送信手段は、前記決済処理の完了後、前記受信装置識別情報及び前記時間範囲を示す時間範囲情報を含む決済完了情報を、通信手段を介して前記放送装置に送信し、前記放送手段は、前記有料情報と共に前記受信装置識別情報及び前記時間範囲情報を放送し、前記デスクランブル手段は、前記有料情報と共に自己の前記受信装置識別情報を受信した場合には、前記時間範囲情報で示される時間範囲のみ前記有料情報をデスクランブルすることを特徴とする。
【００１５】
また、請求項５に記載の発明は、有料情報を放送する放送装置と、前記放送された有料情報を受信する受信装置と、端末装置と、前記放送装置及び前記端末装置と通信可能であって前記有料情報を視聴するための決済処理を行う決済装置と、を備える有料情報放送システムであって、前記端末装置は、前記受信装置から当該受信装置を識別するための受信装置識別情報を取得する受信装置識別情報取得手段と、当該端末装置の利用者を識別するための利用者識別情報を記憶する利用者識別情報記憶手段と、前記取得した受信装置識別情報と前記記憶された利用者識別情報を含む決済要求情報を、通信手段を介して前記決済装置に送信する決済要求情報送信手段と、を備え、前記決済装置は、前記端末装置から送信されてきた決済要求情報を受信する決済要求情報受信手段と、前記決済要求情報に含まれる利用者識別情報に基づいて当該利用者が前記有料情報を視聴するための決済処理を行う決済処理手段と、前記決済処理の完了後、前記決済要求情報に含まれる受信装置識別情報を含む決済完了情報を、通信手段を介して前記放送装置に送信する決済完了情報送信手段と、を備え、前記放送装置は、前記決済装置から送信されてきた前記決済完了情報を受信する決済完了情報受信手段と、前記決済完了情報に含まれる受信装置識別情報により特定される受信装置に対して前記有料情報を放送する放送手段と、を備えることを特徴とする。
【００１６】
また、請求項６に記載の発明は、請求項５に記載の有料情報放送システムにおいて、前記受信装置識別情報取得手段は、前記受信装置から前記受信装置識別情報と共に、前記有料情報の一単位を識別するための有料情報識別情報を取得し、前記決済要求情報送信手段は、前記受信装置識別情報、前記利用者識別情報、及び前記有料情報識別情報を、通信手段を介して前記決済装置に送信し、前記決済完了情報送信手段は、前記決済処理の完了後、前記受信装置識別情報及び前記有料情報識別情報を含む決済完了情報を、通信手段を介して前記放送装置に送信し、前記放送手段は、前記有料情報識別情報により特定される前記有料情報の一単位を、前記受信装置識別情報により特定される受信装置に対して前記有料情報を放送することを特徴とする。
【００１７】
また、請求項７に記載の発明は、請求項５に記載の有料情報放送システムにおいて、前記受信装置識別情報取得手段は、前記受信装置から前記受信装置識別情報と共に、前記有料情報を放送する放送チャンネルを示す放送チャンネル情報を取得し、前記決済要求情報送信手段は、前記受信装置識別情報、前記利用者識別情報、及び前記放送チャンネル情報を、通信手段を介して前記決済装置に送信し、前記決済完了情報送信手段は、前記決済処理の完了後、前記受信装置識別情報及び前記放送チャンネル情報を含む決済完了情報を、通信手段を介して前記放送装置に送信し、前記放送手段は、前記放送チャンネル情報に示される放送チャンネルで、前記受信装置識別情報により特定される受信装置に対して前記有料情報を放送することを特徴とする。
【００１８】
また、請求項８に記載の発明は、請求項５に記載の有料情報放送システムにおいて、前記決済処理手段は、前記利用者識別情報により特定される利用者により指定された時間範囲で前記決済処理を行い、前記決済完了情報送信手段は、前記決済処理の完了後、前記受信装置識別情報及び前記時間範囲を示す時間範囲情報を含む決済完了情報を、通信手段を介して前記放送装置に送信し、前記放送手段は、前記受信装置識別情報により特定される受信装置に対して前記有料情報を前記時間範囲情報で示される時間範囲のみ放送することを特徴とする。
【００１９】
また、請求項９に記載の発明は、請求項１乃至８の何れか一項に記載の有料情報放送システムにおいて、前記受信装置は、自己の受信装置識別情報を含むコードを表示させるコード表示手段を更に備え、前記装置識別情報取得手段は、前記表示されたコードを撮影し、当該撮影されたコードから前記受信装置識別情報を取得することを特徴とする。
【００２０】
また、請求項１０に記載の発明は、請求項１乃至８の何れか一項に記載の有料情報放送システムにおいて、前記受信装置及び前記端末装置は、相互に近距離無線通信を行う機能を有し、前記装置識別情報取得手段は、前記近距離無線通信によって前記受信装置から前記受信装置識別情報を取得することを特徴とする。
【００２１】
また、請求項１１に記載の発明は、請求項１乃至８の何れか一項に記載の有料情報放送システムに含まれる端末装置であって、前記受信装置識別情報取得手段、前記利用者識別情報記憶手段、及び前記決済要求情報送信手段を備えることを特徴とする。
【００２２】
また、請求項１２に記載の端末装置用プログラムは、コンピュータを、請求項１１に記載の端末装置に備える前記受信装置識別情報取得手段、前記利用者識別情報記憶手段、及び前記決済要求情報送信手段として機能させることを特徴とする。
【００２３】
また、請求項１３に記載の発明は、請求項１乃至８の何れか一項に記載の有料情報放送システムに含まれる決済装置であって、前記決済要求情報受信手段、前記決済処理手段、及び前記決済完了情報送信手段を備えることを特徴とする。
【００２４】
また、請求項１４に記載の決済装置用プログラムは、コンピュータを、請求項１３に記載の決済装置に備える前記決済要求情報受信手段、前記決済処理手段、及び前記決済完了情報送信手段として機能させることを特徴とする。
【００２５】
また、請求項１５に記載の発明は、スクランブルされた有料情報を放送する放送装置と、前記放送された有料情報を受信する受信装置と、端末装置と、前記放送装置及び前記端末装置と通信可能であって前記有料情報を視聴するための決済処理を行う決済装置と、を備える有料情報放送システムにおける有料放送方法であって、前記端末装置が、前記受信装置から当該受信装置を識別するための受信装置識別情報を取得し、当該取得した受信装置識別情報と自己の利用者識別情報を含む決済要求情報を、通信手段を介して前記決済装置に送信し、前記決済装置が、前記端末装置から送信されてきた決済要求情報を受信し、当該決済要求情報に含まれる利用者識別情報に基づいて当該利用者が前記有料情報を視聴するための決済処理を行い、当該決済処理の完了後、前記決済要求情報に含まれる受信装置識別情報を含む決済完了情報を、通信手段を介して前記放送装置に送信し、前記放送装置が、前記決済装置から送信されてきた前記決済完了情報を受信し、前記有料情報と共に、前記決済完了情報に含まれる受信装置識別情報を放送し、前記受信装置が、前記放送装置から放送された有料情報及び前記受信装置識別情報を受信し、前記有料情報と共に自己の前記受信装置識別情報を受信した場合には、当該有料情報をデスクランブルすることを特徴とする。
【００２６】
また、請求項１６に記載の発明は、有料情報を放送する放送装置と、前記放送された有料情報を受信する受信装置と、端末装置と、前記放送装置及び前記端末装置と通信可能であって前記有料情報を視聴するための決済処理を行う決済装置と、を備える有料情報放送システムにおける有料情報放送方法であって、前記端末装置が、前記受信装置から当該受信装置を識別するための受信装置識別情報を取得し、前記取得した受信装置識別情報と自己の利用者識別情報を含む決済要求情報を、通信手段を介して前記決済装置に送信し、前記決済装置が、前記端末装置から送信されてきた決済要求情報を受信し、当該決済要求情報に含まれる利用者識別情報に基づいて当該利用者が前記有料情報を視聴するための決済処理を行い、前記決済処理の完了後、前記決済要求情報に含まれる受信装置識別情報を含む決済完了情報を、通信手段を介して前記放送装置に送信し、前記放送装置が、前記決済装置から送信されてきた前記決済完了情報を受信し、当該決済完了情報に含まれる受信装置識別情報により特定される受信装置に対して前記有料情報を放送することを特徴とする。
【発明の効果】
【００２７】
本発明によれば、受信装置において有料情報を視聴したい利用者は、自己の端末装置から決済装置に接続して自己の利用者識別情報を用いて決済し、ただちに所望の有料情報を視聴できるので、例えば、受信装置の所有者とは異なる者が自ら利用料を支払いたい場合に、当該端末装置の利用者は手軽に利用料金を支払うことができる。
【００２８】
また、受信装置において決済処理を実施するために必要なインフラ（電話回線等）等を必要とすることなく、極めて広く普及している端末装置のインフラを利用して有料情報を視聴するための決済を手軽に行うことができる。
【００２９】
よって、有料情報のサービス拡大に大いに貢献することができる。
【発明を実施するための最良の形態】
【００３０】
以下、本発明を実施するための最良の実施形態について、図面に基づいて説明する。
【００３１】
先ず、図１を参照して、本発明の一実施形態に係る有料情報放送システムの構成及び機能について説明する。
【００３２】
［１．有料情報放送システムの構成］
図１は、本実施形態に係る有料情報放送システムの全体構成例を示す図である。また、図２は、番組放送装置の概要構成例を示す図であり、図３は、受信機の概要構成例を示す図であり、図４は、携帯端末の概要構成例を示す図であり、図５は、決済サーバの概要構成例を示す図である。
【００３３】
図１に示すように、有料情報放送システムＳは、複数の放送チャンネルで様々な有料情報の一例としての有料番組情報（映像データ、音声データ、及びテキストデータ等を含む）を放送する放送局１と、放送された番組情報を受信する受信装置としての受信機２Ａ及びＩＣカード２Ｂと、端末装置としての携帯端末３と、上記番組情報を視聴するための決済処理を行う決済装置としての決済サーバ４と、を備えて構成されている。
【００３４】
［１−１．放送局の構成］
放送局１は、放送事業者等によって管理された放送装置としての番組放送装置１Ａを備え、例えば、ＣＳ、ＣＳ１１０°、ＢＳ、ＣＡＴＶ専用回線、地上波、インターネット等の放送手段を通じて、上記有料番組情報を放送するようになっている。
【００３５】
番組放送装置１Ａは、図２に示すように、ＣＰＵ（Central Processing Unit）、ＲＡＭ（Random access memory）、及びＲＯＭ（Read Only Memory）等を含んで構成された制御部１０と、スクランブル鍵を生成するスクランブル鍵生成部１１と、有料番組情報をスクランブルするスクランブラ１２と、上記スクランブル鍵を含むＥＣＭ（当該有料番組情報についての情報と受信機の制御に関する情報とを合わせた共通情報）、及びＥＭＭ（上記ＥＣＭの暗号を解くためのワーク鍵、及び受信機ＩＤリストを含む個別情報）を暗号化する暗号化部１３と、スクランブル鍵の復号化が許される受信機の受信機ＩＤ（受信装置識別情報の一例）が記述された受信機ＩＤリストを生成する受信機ＩＤリスト生成部１４と、上記スクランブルされた有料番組情報、ＥＰＧ（Electronic Program Guide）データ、上記暗号化されたＥＣＭ、及び上記暗号化されたＥＭＭ等を多重化して放送信号（放送波）として放送（放送スケジュールにしたがって放送）する放送手段としての放送部１５と、決済サーバ４と間で通信手段としての専用回線５及び携帯向け決済ゲートウェイ６を通じて通信を行うための通信部１６と、有料番組情報、各種データ及びプログラム等を記憶するハードディスク等を備える記憶部１７と、を備え、各構成要素はバスを介して相互に接続されている。そして、制御部１０は所定のプログラムを実行することにより番組放送装置１Ａ全体を統括制御するようになっている。
【００３６】
ここで、有料番組情報は、放送スケジュール（放送日、放送時間帯及び放送チャンネル）が決められた番組単位で区別（一番組には一単位の有料番組情報が対応）され、各有料番組情報には、当該有料番組情報の一単位を識別するための有料番組情報ＩＤ（有料情報識別情報の一例）が付加されている。
【００３７】
［１−２．受信機等の構成］
次に、受信機２Ａは、図３に示すように、ＣＰＵ、ＲＡＭ、及びＲＯＭ等を含んで構成された制御部２０と、放送局１から放送された放送信号であって設定された放送チャンネルの放送信号を受信する有料情報受信手段としての受信部２１と、受信された放送信号を一時的に記憶するバッファメモリ２２と、当該放送信号から上記スクランブルされた有料番組情報、上記暗号化されたスクランブル鍵、ＥＰＧデータ、ＥＣＭ、及びＥＭＭ等を分離する分離部２３と、受信された有料番組情報をスクランブル鍵を用いてデスクランブルするデスクランブル手段としてのデスクランブラ２４と、デスクランブルされた有料番組情報をデコードして映像データ及び音声データ等を例えばディスプレイ及びスピーカに出力するデコーダ２５と、ＩＣカード２Ｂを装着して電気的に接続するカードスロット部２６と、利用者からの放送チャンネルの設定等の指示を入力するための操作部２７と、携帯端末３との間で相互に近距離無線通信を行うための近距離無線通信部２８と、各種データ及びプログラム等を記憶するハードディスク等を備える記憶部２９と、を備え、各構成要素はバスを介して相互に接続されている。そして、制御部２０は所定のプログラムを実行することにより受信機２Ａ全体を統括制御するようになっている。なお、近距離無線通信部２８は、例えば、公知の赤外線通信又はブルートゥース通信（ブルートゥース規格に基づいてパケットデータを２．４５ＧＨｚ帯（ＩＳＭ帯）で周波数ホッピングさせ送受信）機能を有している。
【００３８】
また、ＩＣカード２Ｂ（例えば、Ｂ−ＣＡＳカード）は、図示しないが、当該受信機２Ａに対して一意に与えられ当該受信機２Ａを識別するための受信機ＩＤ（例えば、Ｂ−ＣＡＳ番号、或いは受信機２ＡのＩＰアドレス及びポート番号であり、加入者ごとに固有の番号）及び個人契約情報、ＩＣカード固有の鍵でありＥＭＭの暗号を解くためのマスタ鍵を記憶する記憶部と、ＥＭＭに含まれる受信機ＩＤリスト中に上記記憶部に記憶された当該受信機２Ａの受信機ＩＤが含まれるか否かを判定（認証）する判定部と、当該ＥＭＭを復号すると共に、上記判定部により受信機ＩＤリスト中に受信機２Ａの受信機ＩＤが含まれると判定された場合にＥＣＭを復号する復号部と、を備えており、受信機２Ａとの間で相互にデータ等の授受を行うようになっている。
【００３９】
［１−３．携帯端末の構成］
次に、携帯端末３は、図４に示すように、例えば携帯電話機からなり、ＣＰＵ、ＲＡＭ、及びＲＯＭ等を含んで構成された制御部３０と、アンテナを介して送受信する音声データを処理する音声処理部３１と、利用者からの操作指示を入力するための操作部３２と、各種情報を表示するための表示部３３と、音声出力するためのスピーカ３４と、音声入力するためのマイクロフォン３５と、撮影用のカメラ３６と、アンテナ及び通信手段としての移動体通信回線網（無線基地局、交換局等を含む）７等を介して他の装置と通信を行うための通信部（制御部と共に、決済要求情報送信手段を構成）３７と、受信機２Ａとの間で相互に近距離無線通信を行うための近距離無線通信部３８と、各種データ及びプログラム、更には当該携帯端末３の利用者を識別するための利用者ＩＤ（利用者識別情報の一例）等を記憶する不揮発性メモリ等を備える利用者識別情報記憶手段としての記憶部３９と、を備え、各構成要素はバスを介して相互に接続されている。そして、制御部３０は所定のプログラムを実行することにより携帯端末３全体を統括制御し、且つ、本発明の装置識別情報取得手段等として機能するようになっている。
【００４０】
装置識別情報取得手段としての制御部３０は、操作部３２を介して入力された利用者の受信機ＩＤ取得指示に応じて近距離無線通信部３８を通じて上記受信機ＩＤを要求し、当該受信機２Ａから当該受信機ＩＤを取得するようになっている。このとき、制御部３０は、現在受信機２Ａにおいて受信されている有料番組情報の有料番組情報ＩＤ、若しくは当該有料番組情報を放送する放送チャンネルを示す放送チャンネル情報を、近距離無線通信部３８を通じて当該受信機２Ａから取得する。
【００４１】
また、制御部３０は、操作部３２を介して入力された利用者の決済要求指示に応じて、通信部３７、アンテナ、移動体通信回線網７、及び携帯向け決済ゲートウェイ６を介して上記取得した受信機ＩＤと、上記記憶部３９に記憶された利用者ＩＤと、上記取得した有料番組情報ＩＤ若しくは放送チャンネル情報と、を含む決済要求情報（決済要求メッセージ）を、当該決済サーバ４に送信するようになっている。
【００４２】
なお、携帯端末３としては、ＰＨＳ（Personal Handyphone System）、ＰＤＡ（Personal Digital Assistant）、パーソナルコンピュータ等を適用することができる。
【００４３】
［１−４．決済サーバの構成］
次に、決済サーバ４は、図５に示すように、ＣＰＵ、ＲＡＭ、及びＲＯＭ等を含んで構成された制御部４０と、専用回線８及び携帯向け決済ゲートウェイ６等を通じて番組放送装置１Ａ及び携帯端末３と通信を行うための通信部（制御部と共に、決済要求情報受信手段及び決済完了情報送信手段を構成）４１と、各種データ及びプログラム等を記憶するハードディスク等を備える記憶部４２と、を備え、各構成要素はバスを介して相互に接続されている。そして、制御部４０は所定のプログラムを実行することにより決済サーバ４全体を統括制御し、且つ、本発明の決済処理手段等として機能するようになっている。
【００４４】
また、記憶部４２には、携帯端末３の利用者の個人情報（例えば、携帯端末３の利用者の利用者ＩＤ（電話番号でも良い）、氏名、住所、電話番号、カード番号、決済方法及び課金情報等）を蓄積管理する利用者情報データベース４２１と、各種決済（例えば、公知のクレジットカード決済、キャリア決済、或いはフェリカ決済等）の各種決済を行うために必要な情報を蓄積管理する決済情報データベース４２２と、各有料番組情報の利用料（視聴料）を蓄積管理（例えば、各有料番組情報ＩＤに有料番組情報の利用料が対応付けられている）する番組利用料情報データベース４２３と、が構築されている。
【００４５】
携帯端末３からの決済要求情報が通信部４１を介して受信されると、決済処理手段としての制御部４０は、利用者情報データベース４２１、決済情報データベース４２２、及び番組利用料情報データベース４２３を参照して、上記決済要求情報に含まれる利用者ＩＤ及び有料番組情報ＩＤ（又は、放送チャンネル情報）に基づいて当該利用者が当該有料番組情報を視聴するための決済処理を行うようになっている（詳細は後述）。
【００４６】
そして、制御部４０は、上記決済処理の完了後、上記決済要求情報に含まれる受信機ＩＤ及び有料番組情報ＩＤ等を含む決済完了情報（決済完了メッセージ）を、通信部４１、専用回線５，８及び携帯向け決済ゲートウェイ６等を通じて番組放送装置１Ａに対して送信するようになっている。こうして、送信された決済要求情報に含まれる受信機ＩＤは、番組放送装置１０において、スクランブル鍵の復号化が許される受信機の受信機ＩＤとして受信機ＩＤリストに記述されることになる。
【００４７】
［２．有料情報放送システムの動作］
次に、図６を参照して、本実施形態に係る有料情報放送システムＳの動作例について説明する。
【００４８】
図６は、有料情報放送システムＳにおける各構成要素における処理及び情報のやり取りを示すシーケンス図である。
【００４９】
なお、以下の動作例においては、放送局１から放送された複数の放送チャンネルに係る多重化された放送信号のうち、放送チャンネル「１００」で放送された放送信号が受信機２Ａにより受信されていることを前提とし、当該放送信号に含まれる受信機ＩＤリストには、未だ、当該受信機２Ａの受信機ＩＤが含まれていないものとする。
【００５０】
先ず、携帯端末３の利用者が操作部３２を操作して例えば有料番組情報の決済アプリケーションを起動させると、制御部３０は、受信機ＩＤ取得ボタンを表示部３３に表示させる。そして、携帯端末３の利用者が操作部３２を操作して表示された受信機ＩＤ取得ボタンを選択し実行ボタンを押下する（ステップＳ１：受信機ＩＤ取得指示有）と、制御部３０は、受信機２Ａに対して受信機ＩＤの要求信号を近距離無線通信部３８を通じて送信する（ステップＳ２）。
【００５１】
一方、受信機２Ａが携帯端末３からの受信機ＩＤの要求信号を、近距離無線通信部２８を通じて受信すると、制御部２０は、ＩＣカード２Ｂから受信機ＩＤを取得し、且つ、現在当該受信機２Ａの受信部２１により受信されている放送チャンネル「１００」の有料番組情報の例えば有料番組情報ＩＤを分離部２３から取得し（ステップＳ３）、取得した受信機ＩＤ及び有料番組情報ＩＤを近距離無線通信部２８を通じて送信する（ステップＳ４）。
【００５２】
なお、ステップＳ３において、制御部２０は、ＥＰＧデータに基づき番組表をディスプレイに表示させ、当該番組表上に表示された多くの番組のうち、利用者が操作部２７を操作することにより指定された番組に係る有料番組情報の有料番組情報ＩＤを取得するように構成しても良い。
【００５３】
一方、携帯端末３が受信機２Ａからの受信機ＩＤ及び有料番組情報ＩＤを、近距離無線通信部３８を通じて受信（取得）すると、制御部３０は、受信機ＩＤ及び有料番組情報ＩＤを記憶部３９に記憶し（ステップＳ５）、続いて、決済要求ボタンを表示部３３に表示させる。そして、携帯端末３の利用者が操作部３２を操作して表示された決済要求ボタンを選択し実行ボタンを押下する（ステップＳ６：決済要求指示有）と、携帯端末３は通信部３７、アンテナ及び移動体通信回線網７等を介して携帯向け決済ゲートウェイ６に接続し、認証（例えば、携帯端末３の利用者が操作部３２を操作して利用者ＩＤ及びパスワードを入力、当該入力された利用者ＩＤ及びパスワードが携帯向け決済ゲートウェイ６に送信されて登録の有無が判断される）された後、決済サーバ４との通信が確立される。そして、制御部３０は、上記ステップＳ５にて記憶部３９に記憶された受信機ＩＤ及び有料番組情報ＩＤと、予め記憶部３９に記憶されていた利用者ＩＤと、を含む決済要求メッセージを、移動体通信回線網７及び携帯向け決済ゲートウェイ６を介して決済サーバ４に送信する（ステップＳ７）。
【００５４】
一方、決済サーバ４が携帯端末３からの決済要求メッセージを、通信部４１を通じて受信すると、制御部４０は、受信された決済要求メッセージに含まれる受信機ＩＤ、有料番組情報ＩＤ及び利用者ＩＤを記憶部４２に記憶し（ステップＳ８）、決済処理を開始する。
【００５５】
当該決済処理が開始されると、制御部４０は、利用者情報データベース４２１を参照し、当該記憶された利用者ＩＤに対応付けられた決済方法を特定し、その決済方法（例えば、クレジットカード決済、キャリア決済、又はフェリカ決済等）に対応する入力フォーム画面データを決済情報データベース４２２から取得して、これを専用回線５、携帯向け決済ゲートウェイ６、及び移動体通信回線網７等を介して携帯端末３に送信する（ステップＳ９）。
【００５６】
一方、携帯端末３が決済サーバ４からの入力フォーム画面データを、通信部３７を通じて受信すると、制御部３０は、入力フォーム画面を表示部３３に表示させる。こうして表示された入力フォーム画面には、例えば、決済方法に応じて入力する必要がある事項（カード番号等）の入力欄が設けられており、利用者は、操作部３２を操作して入力フォーム画面に対して必要事項を入力して例えば決済実行ボタンを選択し実行ボタンを押下する（ステップＳ１０：決済実行指示有）と、制御部３０は、上記入力された必要事項を含む決済実行メッセージを、移動体通信回線網７及び携帯向け決済ゲートウェイ６を介して決済サーバ４に送信する（ステップＳ１１）。
【００５７】
なお、複数の決済方法が可能である利用者に対しては、決済サーバ４は、決済方法（クレジットカード決済、キャリア決済、或いはフェリカ決済）を選択するための選択画面データを携帯端末３に送信し、当該携帯端末３において選択された決済方法に対応する入力フォーム画面データを、当該携帯端末３に送信するように構成しても良い。
【００５８】
一方、決済サーバ４が携帯端末３からの決済実行メッセージを、通信部４１を通じて受信すると、制御部４０は、決済実行メッセージに含まれる必要事項に基づき個人認証処理を行い、問題が無ければ、番組利用料情報データベース４２３を参照して、上記ステップＳ８にて記憶された有料番組情報ＩＤ（つまり、決済要求メッセージに含まれた有料番組情報ＩＤ）に対応する有料番組情報の利用料を認識し、当該利用料を当該利用者に対して課金（例えば、当該利用者ＩＤに対応する課金情報に当該利用料を登録する）（ステップＳ１２）して決済処理を完了する。
【００５９】
次いで、制御部４０は、上記決済処理の完了後、上記ステップＳ８にて記憶された受信機ＩＤ及び有料番組情報ＩＤ等を含む決済完了メッセージを、専用回線５，８及び携帯向け決済ゲートウェイ６等を介して番組放送装置１Ａに送信する（ステップＳ１３）。
【００６０】
一方、番組放送装置１Ａが決済サーバ４からの決済完了メッセージを、通信部１６を通じて受信すると、制御部１０は、受信された決済完了メッセージに含まれる受信機ＩＤ及び有料番組情報ＩＤを記憶部１７に記憶する（ステップＳ１４）。そして、受信機ＩＤリスト生成部１４は、上記受信し記憶された有料番組情報ＩＤに対応する有料番組情報と共に送信すべき受信機ＩＤリスト中に、上記受信し記憶された受信機ＩＤを記述して新たな受信機ＩＤリストを生成する（ステップＳ１５）。そして、放送部１５は、上記受信し記憶された有料番組情報ＩＤに対応する有料番組情報（スクランブル済）、ＥＰＧデータ、暗号化されたＥＣＭ、及び暗号化されたＥＭＭ（上記ステップＳ１５で生成された受信機ＩＤリスト等を含む）を多重化して放送信号（放送波）として放送（放送スケジュールにしたがって放送）する（ステップＳ１６）。
【００６１】
こうして、放送された放送信号は、受信機２Ａにおける受信部２１により受信され、分離部２３により、上記有料番組情報、ＥＣＭ、及びＥＭＭ等に分離された後、スクランブルされた有料番組情報はバッファメモリ２２に記憶され、暗号化されたＥＣＭ及びＥＭＭ等はＩＣカード２Ｂに送られる。
【００６２】
そして、ＩＣカード２Ｂの復号部はＥＭＭをマスタ鍵で復号し復号化されたＥＭＭからワーク鍵及び受信機ＩＤリストを取り出し、ＩＣカード２Ｂの判定部は取り出された受信機ＩＤリスト中にＩＣカード２Ｂに記憶された受信機ＩＤ（自己の受信機ＩＤ）が含まれているか否かを判定し、含まれている場合にはＩＣカード２Ｂの復号部は上記取り出されたワーク鍵でＥＣＭを復号し復号化されたＥＣＭからスクランブル鍵を取り出しこれを上記受信機２Ａのデスクランブラ２４に送る。これにより、受信機２Ａのデスクランブラ２４によって上記有料番組情報がスクランブル鍵を用いてデスクランブルされ、デコーダ２５によって当該有料番組情報がデコードされ、映像データ及び音声データ等が例えばディスプレイ及びスピーカに出力され、利用者は、当該有料番組情報を視聴できるようになる。
【００６３】
なお、上記説明した図６に示すステップＳ３，４において、受信機２Ａが受信機ＩＤと有料番組情報ＩＤを取得し、携帯端末３に対して送信する場合の例を示したが、別の例として、受信機２Ａが受信機ＩＤと、現在当該受信機２Ａの受信部２１により受信されている放送チャンネルを示す放送チャンネル情報を取得し、携帯端末３に対して送信するように構成しても良い。
【００６４】
この場合、図６に示すステップＳ７において、携帯端末３は、受信機ＩＤ、放送チャンネル情報、及び利用者ＩＤと、を含む決済要求メッセージを決済サーバ４に送信することになり、上記ステップＳ９において決済サーバ４から携帯端末３に送信され、表示される入力フォーム画面には、利用者が有料番組情報を視聴する時間範囲（例えば、現時点から２時間以内の範囲）を指定する入力欄が設けられることになる。そして、利用者が操作部３２を操作して指定した上記時間範囲を示す時間範囲情報は、図６に示すステップＳ１１において、決済実行メッセージに含まれて決済サーバ４に送信される。
【００６５】
そして、決済サーバ４は、図６に示すステップＳ１２において、受信した決済実行メッセージに含まれる時間範囲情報に基づき、有料番組情報の利用料を算出（例えば、１時間当たりの利用料を決めておき、この利用料と時間範囲情報に示された時間範囲（例えば、２時間）とを乗算して算出）し、当該利用料を当該利用者に対して課金し、図６に示すステップＳ１３において、受信機ＩＤ、放送チャンネル情報及び時間範囲情報等を含む決済完了メッセージを番組放送装置１Ａに送信することになる。
【００６６】
そして、番組放送装置１Ａは、図６に示すステップＳ１５において、受信し記憶された放送チャンネル情報から特定される（つまり、放送チャンネル情報に示される放送チャンネルで現時点から放送される）有料番組情報と共に送信すべき受信機ＩＤリスト中に、上記受信し記憶された受信機ＩＤと時間範囲情報を対応付けて記述して新たな受信機ＩＤリストを生成し、図６に示すステップＳ１６において、上記有料番組情報（スクランブル済）、ＥＰＧデータ、ＥＣＭ、及びＥＭＭ（上記受信機ＩＤリスト等を含む）等を多重化して放送信号として放送する。
【００６７】
こうして、放送された放送信号は、受信機２Ａにおける受信部２１により受信され、分離部２３により有料番組情報、ＥＣＭ、及びＥＭＭ等に分離され、ＩＣカード２Ｂの判定部により受信機ＩＤリスト中に自己の受信機ＩＤが含まれていると判定された場合には、ＩＣカード２Ｂの復号部により、上記暗号化されたＥＣＭが復号され、スクランブル鍵が取り出される。
【００６８】
そして、受信機２Ａのデスクランブラ２４により上記有料番組情報をスクランブル鍵を用いて上記時間範囲情報で示される時間範囲（例えば、現時点から２時間以内）でのみデスクランブルされ、デコーダ２５によって当該有料番組情報がデコードされ、映像データ及び音声データ等が例えばディスプレイ及びスピーカに出力され、利用者は、上記時間範囲のみ有料番組情報を視聴できるようになる。
【００６９】
以上説明したように、上記実施形態によれば、受信機２Ａにおいて有料番組情報を視聴したい利用者は、自己の携帯端末３から決済サーバ４に接続して自己の利用者ＩＤを用いて決済し、ただちに所望の有料番組情報を視聴できるので、例えば、受信機２Ａの所有者とは異なる者が自ら利用料を支払いたい場合（例えば、友人の自宅に設置された当該友人が所有する受信機２Ａにて友人に代わって自ら有料番組情報の視聴料を支払いたい場合や、不特定多数の者が集まるネットカフェやカラオケ等に設置された受信機２Ａにて、自ら有料番組情報の視聴料を支払いたい場合等）に、当該携帯端末３の利用者は手軽に利用料金を支払うことができる。
【００７０】
また、受信機２Ａにおいて決済処理を実施するために必要なインフラ（電話回線等）等を必要とすることなく、極めて広く普及している携帯電話機のインフラを利用して有料番組情報を視聴するための決済を手軽に行うことができる。
【００７１】
よって、有料番組情報のサービス拡大に大いに貢献することができる。
【００７２】
なお、上記実施形態においては、携帯端末３が受信機２Ａからの受信機ＩＤ及び有料番組情報ＩＤ（若しくは、放送チャンネル情報）を、近距離無線通信部３８を通じて取得し、記憶部３９に記憶する場合の例を示したが、別の例として、受信機２Ａの制御部２０は、利用者による操作部２７を介した表示指示により、上記受信機ＩＤ及び有料番組情報ＩＤ（若しくは、放送チャンネル情報）をエンコードして２次元バーコードであるＱＲコード画像（ＱＲコードについては公知であるので詳しい説明を省略）を生成し、そのＱＲコード画像をディスプレイに表示させるようにし、利用者が携帯端末３のカメラを起動させ、当該カメラにより、上記ディスプレイに表示されたＱＲコード画像が撮影されると、携帯端末３の制御部３０は、当該撮影されたＱＲコード画像をデコードして、受信機ＩＤ及び有料番組情報ＩＤ（若しくは、放送チャンネル情報）を抽出、取得するように構成しても良い（決済要求指示有以降の動作は上記実施形態と同様）。この構成によれば、近距離無線通信機能が受信機２Ａ及び携帯端末３に搭載されていなくても、上記実施形態と同様の効果を得ることができる。
【００７３】
なお、ＱＲコード画像をディスプレイに表示させる方法として、例えば、放送信号で放送されたか、もしくは受信機２Ａ内のバッファメモリ２２等内に蓄積されているデータ放送（ＢＭＬ（Broadcast Markup Language）で構成）に含まれるスクリプトを利用して動的にＱＲコードを生成して表示するように構成しても良い。
【００７４】
また、上記実施形態においては、有料番組情報は、番組放送装置１Ａにおいてスクランブルされ、ＥＭＭ等と共に多重化され放送信号として放送される場合の例を示したが、別の例として、番組放送装置１Ａは、決済サーバ４からの決済完了メッセージを受信すると、受信された決済完了メッセージに含まれる受信機ＩＤにより特定（例えば、ＩＰアドレス及びポート番号を特定）される受信機２Ａに対して、決済完了メッセージに含まれる有料番組情報ＩＤにより特定される有料番組情報（或いは、放送チャンネル情報から特定される有料番組情報）をスクランブルせずに、例えばインターネットを通じて（ＴＣＰ／ＩＰ（Transmission Control Protocol/Internet Protocol）を用いた通信プロトコルにより）放送（配信）する（当該有料番組情報の全部を放送、或いは当該有料番組情報を上記時間範囲情報で示される時間範囲で放送）ように構成しても良い。このように構成すれば、有料番組情報を、スクランブル及びデスクランブルすることなく、上記決済を行った利用者に対して提供でき、上記実施形態と同様の効果を得ることができる。
【００７５】
また、上記実施形態においては、本発明における有料情報として有料番組情報を例にとって説明したが、これに限定されるものではなく、本発明における有料情報を、例えば、通信カラオケにおいて配信されるカラオケ情報（映像、音声、及び文字データを含む）とし、本発明を通信カラオケシステムに対して適用しても良い。
【図面の簡単な説明】
【００７６】
【図１】本実施形態に係る有料情報放送システムの全体構成例を示す図である。
【図２】番組放送装置の概要構成例を示す図である。
【図３】受信機の概要構成例を示す図である。
【図４】携帯端末の概要構成例を示す図である。
【図５】決済サーバの概要構成例を示す図である。
【図６】有料情報放送システムＳにおける各構成要素における処理及び情報のやり取りを示すシーケンス図である。
【符号の説明】
【００７７】
１  放送局
１Ａ  番組放送装置
２Ａ  受信機
２Ｂ  ＩＣカード
３  携帯端末
４  決済サーバ
５，８  専用回線
６  携帯向け決済ゲートウェイ
７  移動体通信回線網
１０  制御部
１１  スクランブル鍵生成部
１２  スクランブラ
１３  暗号化部
１４  受信機ＩＤリスト生成部
１５  放送部
１６  通信部
１７  記憶部
２０  制御部
２１  受信部
２２  バッファメモリ
２３  分離部
２４  デスクランブラ
２５  デコーダ
２６  カードスロット部
２７  操作部
２８  近距離無線通信部
２９  記憶部
３０  制御部
３１  音声処理部
３２  操作部
３３  表示部
３４  スピーカ
３５  マイクロフォン
３６  カメラ
３７  通信部
３８  近距離無線通信部
３９  記憶部
４０  制御部
４１  通信部
４２  記憶部
４２１  利用者情報データベース
４２２  決済情報データベース
４２３  番組利用料情報データベース
Ｓ  有料情報放送システム
【図１】
2007104168.tif 000003
【図２】
2007104168.tif 000004
【図３】
2007104168.tif 000005
【図４】
2007104168.tif 000006
【図５】
2007104168.tif 000007
【図６】
2007104168.tif 000008